(57)【要約】【課題】外フラップを破損させることなく包装容器の再封緘を実現すると共に包装容器の開封手順を印刷表示することで容易に包装容器の開封を実現することができる。【解決手段】直方体で、且つ上部開口部の４辺にそれぞれのフラップを有し、前記フラップは、内側に折り込まれる内フラップ３と、封緘時に前記内フラップの上に接着剤により重ねあわされる外フラップ２とで構成されるダンボールによりなる包装容器において、前記外フラップの少なくとも一方の前記外フラップの下方に前記内フラップが重ね合わされていない先端部に（左右接着部の間）下方に押し込めるとわかる印刷表示部ともう一方の外フラップに前記印刷表示部近傍に上方に引くとわかる印刷表示部を有する。【選択図】図１
2008056264.tif 000002
【特許請求の範囲】
【請求項１】
直方体で、且つ上部開口部の４辺にそれぞれのフラップを有し、前記フラップは、内側に折り込まれる内フラップと、封緘時に前記内フラップの上に接着剤により重ねあわされる外フラップとで構成されるダンボールによりなる包装容器において、前記外フラップの少なくとも一方の前記外フラップの下方に、前記内フラップが重ね合わされていない先端部に（左右接着部の間）、下方に押し込めるとわかる印刷表示部と、もう一方の外フラップに前記印刷表示部近傍に、上方に引くとわかる印刷表示部を有することを特徴とする包装容器。
【請求項２】
接着剤の塗布位置は、外フラップの下方に押し込めるとわかる印刷表示部の文字幅、もしくは上方に引くとわかる印刷表示部の文字幅の１／２以上の距離を設けて塗布することを特徴とする請求項１記載の包装容器。
【請求項３】
下方に押し込める印刷表示部を有する外フラップの包装容器の側面部との連動部位である稜は、外フラップに印刷表示を有する際、前記印刷表示される文字上下方向の上側に有することを特徴とする請求項１または２記載の包装容器。
【発明の詳細な説明】
【技術分野】
【０００１】
本発明は、一般家庭、あるいは業務用に使用する家電製品の包装容器に関するものである。
【背景技術】
【０００２】
電気家電製品などの家電製品は、移送時のゆれ及び落下等の異常時に製品の外郭の傷、割れ等の製品品質の低下が発生しないように、一般的にダンボールで作られた包装容器内部にダンボールもしくは発泡スチロールで成形された緩衝パットで固定された状態で梱包されている。
【０００３】
特許文献１に、従来例の家電製品の包装容器が開示されている。
【０００４】
図６は、従来例の家電製品の包装容器の封緘時の斜視図である。図６に示すように、出荷状態の包装容器の封緘時は、包装容器本体１００の天面は、包装容器の外観部となる印刷表示を有する外フラップ１０１とその外フラップ１０１の内側の内フラップ１０２を接着剤１０３で張り合わせることで、封緘の状態を維持している。
【０００５】
一般的に包装容器本体１００から家電製品を取り出す際は、上述のように接着剤用いて封緘されている際は、外フラップ１０１の一部を掴み、その掴んだ部分から外フラップ１０１を上方に引っ張り、外フラップ１０１と内フラップ１０２を接合している接着剤１０３を剥がすことで、接着テープを用いて封緘されている際は、接着テープを引き剥がすことで、包装容器本体１００の天面に開口部を設け、その開口部から家電製品を取り出している。
【特許文献１】特開２００２−３０８３７２号公報
【発明の開示】
【発明が解決しようとする課題】
【０００６】
しかしながら、上記のような包装容器を開封する場合、特に、外フラップ１０１と内フラップ１０２を接着剤で封緘の状態を維持している場合は、外フラップ１０１の先端突合せ部の隙間が小さいため、外フラップ１０１を掴みにくいという問題があった。そのため、外フラップ１０１を掴む際に、爪を傷めたり、掴んだ外フラップ１０１の場所が外フラップ１０１と内フラップ１０２の接着部近傍であった際は、外フラップ１０１が内フラップ１０２から剥がすことができずに、外フラップ１０１が掴んだ部位を起点に外フラップ１０１の破損、もしくは折れ曲がり等の問題を引き起こしてしまっていた。一旦、外フラップ１０１が破損したり、折れ曲がったりしてしまうと、この包装容器を用いた家電製品の再梱包が困難となり、リサイクル性の低下を引き起こしていた。
【０００７】
本発明の包装容器は、前記課題を解決するもので、外フラップの少なくとも一方の外フラップの下方に内フラップが重ね合わされていない先端部に（左右接着部の間）下方に押し込めるとわかる印刷表示部と、もう一方の外フラップに前記印刷表示部近傍に上方に引くとわかる印刷表示部を有することで、開封時に外フラップの引っ張る位置を規定することで、外フラップ部を破損させることなく包装容器の再封緘を実現すると共に開封手順を印刷表示することで容易に包装容器の開封を実現することを目的とする。
【課題を解決するための手段】
【０００８】
前記課題を解決するために、直方体で、且つ上部開口部の４辺にそれぞれのフラップを有し、前記フラップは、内側に折り込まれる内フラップと、封緘時に前記内フラップの上に接着剤により重ねあわされる外フラップとで構成されるダンボールによりなる包装容器において、前記外フラップの少なくとも一方の前記外フラップの下方に前記内フラップが重ね合わされていない先端部に（左右接着部の間）下方に押し込めるとわかる印刷表示部ともう一方の外フラップの前記印刷表示部近傍に上方に引くとわかる印刷表示部を有することを特徴とする包装容器である。
【０００９】
本発明の包装容器は、外フラップの少なくとも一方の外フラップの下方に内フラップが重ね合わされていない先端部に（左右接着部の間）下方に押し込めるとわかる印刷表示部と、もう一方の外フラップに前記印刷表示部近傍に上方に引くとわかる印刷表示を有することで、開封時に外フラップの引っ張る位置を規定することで、外フラップを破損させることなく包装容器の再封緘を実現すると共に開封手順を印刷表示することで容易に包装容器の開封を実現することができる。
【００１０】
請求項２記載の発明は、接着剤の塗布位置を外フラップの下方に押し込めるとわかる印刷表示部の文字幅、もしくは上方に引くとわかる印刷表示部の文字幅の１／２以上の距離を設けて塗布することを特徴とする請求項１記載の包装容器である。
【００１１】
本発明によれば、上方に引くとわかる印刷表示部を有する外フラップを掴み、上方に引っ張る際に、接着剤の塗布位置と掴んだ外フラップの位置との間に距離を確保することができ、外フラップと内フラップの接着剤からの剥離性を向上することができる。
【００１２】
請求項３記載の発明は、下方に押し込めるとわかる印刷を有する外フラップの包装容器の側面部との連動部位である稜は、外フラップにその他の印刷表示を有する際、前記印刷表示される文字上下方向の上側に有することを特徴とする請求項１、２記載の包装容器である。
【００１３】
本発明によれば、印刷表示の上下方向を統一することができ、包装容器の印刷表示が分かりやすくすると共に、一連の包装容器の天面を開封する動作を包装容器の向きを変えることなく印刷表示に従って容易に実現することができる。
【発明の効果】
【００１４】
本発明は、外フラップの少なくとも一方の外フラップの下方に内フラップが重ね合わされていない先端部に（左右接着部の間）下方に押し込めるとわかる印刷表示部ともう一方の外フラップに前記印刷表示部近傍に上方に引くとわかる印刷表示部を有することで、開封時に外フラップの引っ張る位置を規定することで、外フラップを破損させることなく包装容器の再封緘を実現すると共に包装容器の開封手順を印刷表示することで容易に包装容器の開封を実現することができるという有利な効果を奏する。
【発明を実施するための最良の形態】
【００１５】
以下本発明を実施するための最良の形態を具体的に示した実施の形態について、図面と共に記載する。
【００１６】
（実施の形態１）
図１〜図５を用いて、本発明の実施の形態１の家電製品を説明する。
【００１７】
図１は、本発明の実施の形態１の家電製品の包装容器の封緘時の斜視図である。
【００１８】
図２は、本発明の実施の形態１の家電製品の包装容器の開封時の斜視図である。
【００１９】
図３は、本発明の実施の形態１の家電製品の包装容器の天面の開封時の動作を示した説明図である。
【００２０】
図４は、本発明の実施の形態１の家電製品の包装容器の上方に引くとわかる印刷表示部を有する外フラップを上方に引っ張った後の状態を示した平面図である。
【００２１】
図５は、本発明の実施の形態１の家電製品の包装容器の天面の印刷表示を示した要部平面図である。
【００２２】
図１に示すように、出荷状態の包装容器の封緘時は、包装容器本体１の天面は、包装容器本体１の外観部となる印刷表示を有する外フラップ２とその外フラップ２の内側の内フラップ３を接着剤４で張り合わせることで、封緘の状態を維持している。図２に示すように、内フラップ３の略両端部には切込み部５を設け、外フラップ２にはその切込み部５と相対する位置に差込み部６を設けている。包装容器の開封後に外フラップ２の差込み部６を内フラップ３の切込み部５に挿入すると、包装容器の天面を再びしっかり閉じることができ、この構成により包装容器の再封緘を実現している。
【００２３】
このように再封緘する機能を包装容器本体に有することで、移送時に包装本体の天面を再びしっかり閉じることができることから、再封緘後の移送時に天面開口部から家電製品が傷つくことを防止することができ、また、外フラップ２及び内フラップ３が浮くこともなく、移送時の持ち運び性も向上することができる。また、包装容器本体を押入れ等に収納する際も同様に、包装本体の天面を再びしっかり閉じることができることから、収納場所を可能な限り小さくできると共に包装容器本体上方にもその他の収納物を置いても家電製品を傷つけることなく収納できるという利点がある。
【００２４】
７は外フラップ２の先端部に設けた下方に押し込めるとわかる印刷表示部７、８は下方に押し込めるとわかる印刷表示部７を有する外フラップと相対する外フラップ２に設けた上方に引くとわかる印刷表示部で、それぞれお互いに近傍に配設し、その下方は内フラップ３が重なっていない位置に設けられている。このような位置に印刷表示部を設けることで、下方に押し込めるとわかる印刷表示部７押し、下方に押し込めるとわかる印刷表示部７を有する外フラップと相対する外フラップ２に設けた上方に引くとわかる印刷表示部８を上方に引く際に内フラップ３が障壁とならずに、容易に前述の動作を実践することができる。
【００２５】
また、下方に押し込めるとわかる印刷表示部７及び下方に押し込めるとわかる印刷表示部７を有する外フラップと相対する外フラップ２に設けた上方に引くとわかる印刷表示部８の文字幅は、少なくとも指３本以上の幅を設けている。このような文字幅を持たせることにより、外フラップ２に押し込む本数の目安となると共に、実際、指を３本外フラップ２の押し込み、相対する上方に引くとわかる印刷表示部８近傍を引っ張る際に、指と外フラップ２の接触面積を多くすることができることから外フラップ２にかかる引張り荷重が外フラップ２の一部に局所的にかかることを未然に防止し、分散することができるので、引っ張った外フラップ２位置からの外フラップ２の破損及び折れ曲がりを防ぐことができる。
【００２６】
本発明の実施の形態１の家電製品の包装容器の天面の開封時の動作を図３を用いで説明する。同図は本発明の実施の形態１の家電製品の包装容器の要部断面図である。図３（ａ）は、本発明の実施の形態１の家電製品の包装容器の封緘時の状態を示している。図３（ｂ）に示すように、包装容器の天面を開封する際、まず初めに外フラップ２の先端部に設けた下方に押し込めるとわかる印刷表示部７を押し込む。押し込むことにより、下方に押し込めるとわかる印刷表示部７近傍は下方に落ち込み、相対する上方に引くとわかる印刷表示部８を有する外フラップ２との間に隙間Ｌが発生する。この隙間Ｌは少なくとも指が押し込める寸法が必要であり、経験的に１０〜２０ｍｍの隙間が好ましい。
【００２７】
次に図３（ｃ）に示すように、この発生した隙間Ｌに指を押し込み、上方に引くとわかる印刷表示部８を有する外フラップ２を掴み、上方に引っ張り、外フラップ２と内フラップ３を接着剤４から剥離し、外フラップ２の片側を開封する。片側の外フラップ２を開封することができると、相対するもう一方の外フラップ２の開封は、外フラップ２下方に容易に手を挿入できるので、外フラップ２を破損することなく、容易に外フラップ２を開封することができる。
【００２８】
このような方法で包装容器の天面を開封すると、外フラップ２を掴む位置を外フラップ２の差込み部６と離れた位置に規定することができ、外フラップ２の差込み部６を掴んで開封する可能性は無く、再梱包手段をとなる外フラップ２の差込み部６を破損することなく開封を実現することができると共に各印刷表示にしたがって、容易に包装容器天面を開封することができる。
【００２９】
また、外フラップ２と内フラップ３の接着剤４からの剥離に用する引っ張り力は、接着剤４塗布位置と掴んだ外フラップ２位置との間の距離と比例しており、少なくとも接着剤４の塗布起点は、図４に示すように、経験的に下方に押し込めるとわかる印刷表示部７の文字幅Ｘの１／２以上離れた位置にする必要がある。（図中：Ｚ＞Ｘ／２、Ｙ＞Ｘ／２）このようにすると、下方に押し込めるとわかる印刷表示部７有する外フラップ２相対する上方に引くとわかる印刷表示部８を有する外フラップ２を掴み、上方に引っ張る際に、接着剤４を剥がす為に過度な引っ張り荷重を外フラップ２に負荷することなく、老若男女誰でも外フラップ２と内フラップ３を接着剤４から剥離することを容易にできる。また、同時に過度な引っ張り荷重が外フラップ２にかかることが要因となる開封時の外フラップ２の破損及び折れ曲がり等の外観的不具合を回避することができる。なお、上方に引くとわかる印刷表示部８の文字幅が下方に押し込めるとわかる印刷表示部７の幅より大きい際は、接着剤４の塗布起点は、上方に引くとわかる印刷表示部８の文字幅Ｘの１／２以上離れた位置にするとよい。
【００３０】
更には、図５に示すように外フラップ２に印刷表示９を有する際は、下方に押し込めるとわかる印刷表示部７を有する外フラップ２の包装容器の側面部との連動部位である稜１０が、印刷表示される文字上下方向の上側に有すると、一連の包装容器の天面を開封する動作を印刷表示に従って容易に実現することができる。包装容器の天面を開封する際は印刷表示が読み取れるように包装容器を置くことが一般的であり、図５に示すような構成にすると、下方に押し込めるとわかる印刷表示部７を押し込んで、相対する上方に引くとわかる印刷表示部８を有する外フラップ２を掴んで引くという一連の包装容器の天面を開封する動作を、包装容器の向きを変えることなく実現することができる。
【００３１】
また、本発明の実施の形態１の家電製品の包装容器の再封緘時には、外フラップ２に切欠き部を有さないので、切欠き部からのゴミや埃、あるいはゴキブリ等の虫等の侵入のを心配する必要がなく、再封緘後の家電製品の保管も衛生的のすることができる。
【産業上の利用可能性】
【００３２】
本発明に係わる包装容器は、家庭用又は業務用の家電製品の包装容器として有用である。
【図面の簡単な説明】
【００３３】
【図１】本発明の実施の形態１の家電製品の包装容器の封緘時の斜視図
【図２】本発明の実施の形態１の家電製品の包装容器の開封時の斜視図
【図３】本発明の実施の形態１の家電製品の包装容器の天面の開封時の動作を示した説明図
【図４】本発明の実施の形態１の家電製品の包装容器の下方に押し込める切込み部と折り目部を有する外フラップと相対する外フラップを掴み、上方に引っ張ったの後の状態を示した平面図
【図５】本発明の実施の形態１の家電製品の包装容器の天面の印刷表示を示した要部平面図
【図６】従来例の家電製品の包装容器の封緘時の斜視図
【符号の説明】
【００３４】
２  外フラップ
３  内フラップ
４  接着剤
５  切込み部（内フラップ）
６  差込み部
７  下方に押し込めるとわかる印刷表示部
８  上方に引くとわかる印刷表示部
９  印刷表示
１０  稜
【図１】
2008056264.tif 000003
【図２】
2008056264.tif 000004
【図３】
2008056264.tif 000005
【図４】
2008056264.tif 000006
【図５】
2008056264.tif 000007
【図６】
2008056264.tif 000008